(57)【要約】【課題】  各種鉄筋の圧接や中実金属棒材の接合及び種々の機械やプラント工事における金属棒材、パイプ等の接合に用いられて、鉄筋や中実金属棒材の圧接や金属棒材、パイプ等の接合を効率良く短時間で確実に施工できる鉄筋摩擦圧接方法とそれに用いる鉄筋用摩擦圧接機の提供を目的にしている。【解決手段】  本発明による鉄筋摩擦圧接方法とそれに用いる鉄筋用摩擦圧接機は、固定鉄筋の開放端に摩擦圧接片を介在させながら結合鉄筋を当接し、しかる後に結合鉄筋を固定鉄筋側に加圧すると共に摩擦圧接片のみを回転させて固定鉄筋と摩擦圧接片及び結合鉄筋を相互に溶融連結させており、各種鉄筋の圧接や中実金属棒材の接合及び種々の機械やプラント工事における金属棒材、パイプ等の接合に用いても鉄筋や中実金属棒材の圧接や金属棒材、パイプ等の接合を効率良く短時間で確実に施工できる。【選択図】  図１
2009039766.tif 000002
【特許請求の範囲】
【請求項１】
固定鉄筋の開放端に摩擦圧接片を介在させながら結合鉄筋を当接し、しかる後に結合鉄筋を固定鉄筋側に加圧すると共に摩擦圧接片のみを回転させて固定鉄筋と摩擦圧接片及び結合鉄筋を相互に溶融連結させることを特徴とする鉄筋摩擦圧接方法。
【請求項２】
付属する原動機で回転する駆動輪と該駆動輪に対峙させて配備される複数の支持輪とで装着される摩擦圧接片を保持して回転させる摩擦圧接片駆動部、固定鉄筋を該摩擦圧接片駆動部に保持された摩擦圧接片の中心位置に向けて設定する摩擦圧接片駆動部の一方側に固着された固定鉄筋保持部及び結合鉄筋を摩擦圧接片駆動部に保持された摩擦圧接片の設定された固定鉄筋側と対応する直線位置に向けて設定する該摩擦圧接片駆動部の他方側に装備されて摩擦圧接片駆動部との間に配置された作動装置で移動可能に形成された結合鉄筋保持部から構成されることを特徴とする請求項１に記載の鉄筋摩擦圧接方法に用いる鉄筋摩擦圧接機。
【請求項３】
装着される摩擦圧接片がその中心部を円錐形状に構成することを特徴とする請求項２に記載の鉄筋摩擦圧接機。
【請求項４】
摩擦圧接片駆動部への摩擦圧接片の装着及び固定鉄筋保持部と結合鉄筋保持部とへの鉄筋の着脱が随意に構成されることを特徴とする請求項２、３に記載の鉄筋摩擦圧接機。
【請求項５】
摩擦圧接片駆動部の付属する原動機もしくは結合鉄筋保持部の作動装置が油圧系機器で構成されることを特徴とする請求項２〜４に記載の鉄筋摩擦圧接機。
【発明の詳細な説明】
【技術分野】
【０００１】
本発明は、土建業界の工事現場において多く採用されている各種鉄筋の圧接や中実金属棒材の接合及び種々の機械やプラント工事における金属棒材やパイプ等の接合に用いられる鉄筋摩擦圧接方法とそれに用いる鉄筋摩擦圧接機に関する。
【背景技術】
【０００２】
建築業界と土木業界における従来の工事現場では、圧接したい鉄筋や中実金属棒材及びパイプ等の二部材において、少なくとも一方が固定されている場合や長い場合、重い場合もしくは大きい場合等にあっては、鉄筋の圧接作業や中実金属棒材及びパイプ等の接合作業が慎重に行われている。その要因としては、同上の接合作業は極めて面倒なものになるためであって、そのためには所定期間の工期が必要であると共に、仮に工事が完成したとしてもその品質において確信を持つことが容易で無いために多くの抜き取り検査を繰り返すことを余儀なくされるのが実態だからであった。（特許文献１）
【０００３】
加えて、本作業で中心的に用いられているガス圧接の場合にあっては、環境条件として強風時は基本的に作業を中止であり、仮に遮蔽によって許可を受けたとしても風通しの具合によってはガス爆発、窒息ないしはガス中毒の可能性を否定できない問題が残っていたし、寒冷時にあってはアセチレンガス容器や圧力調整器に保温が必要であると共に高温時にはこれらを直射日光から保護する手当てが求められていた。又、作業的にも鉄筋の切断面にグラインダー掛けを要して圧接面の酸化皮膜除去や平滑面の確保が求められ、併せて火災、ガス事故を防止するためのガスホースの保全に関する注意や錆、油脂及び塗料等の被覆への付着除去についても気配りが求められていたからである。
【０００４】
一方、金属部材の接合方法として摩擦圧接機の採用も考慮されるが、従来の摩擦圧接機での金属接合は２つの金属部品のホルダーを必要としており、その一方側を回転させているのが一般的である。又、金属部品のホルダーはその自重故にこれを高速に駆動するためにも大容量の原動機が必要であり、高速回転からの停止のためには堅固な制動機を配して振動を制限しながら作動させるためにも自身に相当の重さを要することになる。これらの条件を満たすためには必然的に大型の機器になって上述の作業現場に摩擦圧接機を搬入することが困難であると共に、一方が固定されていて他方を回転させることの困難であることが多い鉄筋、パイプ等の接合に既存の摩擦圧接機を適用させるのは基本的に想到出来ないものであった。（特許文献２）
【０００５】
以上の状況下にあって、建築業界と土木業界の工事現場での鉄筋や中実金属棒材及びパイプ等の二部材において、一方が固定されている場合、長くて重い場合や大きい場合等では、その圧接作業や接合作業に解決できない多くの困難な問題点が指摘されているために、施工環境、作業条件及び品質保証面を満足させる施工法や採用機器への強力な要望が出されていた。
【特許文献１】特許公開平７−２１４３４３号公報
【特許文献２】特許公開平１１−３４７７５２号公報
【発明の開示】
【発明が解決しようとする課題】
【０００６】
本発明は、各種鉄筋の圧接や中実金属棒材の接合及び種々の機械やプラント工事における金属棒材、パイプ等の接合に用いられて、鉄筋や中実金属棒材の圧接や金属棒材、パイプ等の接合を効率良く短時間で確実に施工できる鉄筋摩擦圧接方法とそれに用いる鉄筋用摩擦圧接機の提供を目的にしている。
【課題を解決するための手段】
【０００７】
本発明による鉄筋摩擦圧接方法は、固定鉄筋の開放端に摩擦圧接片を介在させながら結合鉄筋を当接し、しかる後に結合鉄筋を固定鉄筋側に加圧すると共に摩擦圧接片のみを回転させて固定鉄筋と摩擦圧接片及び結合鉄筋を相互に溶融連結させており、土建業界の工事現場において多く採用されている各種鉄筋の圧接や中実金属棒材の接合及び種々の機械やプラント工事における金属棒材、パイプ等の接合に用いても鉄筋や中実金属棒材の圧接や金属棒材、パイプ等の接合を効率良く短時間で確実に施工できる効果を発揮している。
【０００８】
本発明による第１の鉄筋摩擦圧接機は、付属する原動機で回転する駆動輪と駆動輪に対峙させて配備される複数の支持輪とで装着される摩擦圧接片を保持して回転させる摩擦圧接片駆動部、固定鉄筋を摩擦圧接片駆動部に保持された摩擦圧接片の中心位置に向けて設定する摩擦圧接片駆動部の一方側に固着された固定鉄筋保持部及び結合鉄筋を摩擦圧接片駆動部に保持された摩擦圧接片の設定された固定鉄筋側と対応する直線位置に向けて設定する摩擦圧接片駆動部の他方側に装備されて摩擦圧接片駆動部との間に配置された作動装置で移動可能に形成された結合鉄筋保持部から構成されており、上記鉄筋摩擦圧接方法に用いる際に各種鉄筋の圧接や中実金属棒材の接合及び種々の機械やプラント工事における金属棒材、パイプ等の接合に採用しても鉄筋や中実金属棒材の圧接や金属棒材、パイプ等の接合を効率良く短時間で確実に施工できる効果を発揮している。
【０００９】
本発明による第２の鉄筋摩擦圧接機は、上記第１の鉄筋摩擦圧接機において装着される摩擦圧接片がその中心部を円錐形状に構成することを特徴としており、上記第１の鉄筋摩擦圧接機が発揮する効果に加えて各種鉄筋の圧接や中実金属棒材の接合を更に効率的に施工できる効果を発揮している。
【００１０】
本発明による第３の鉄筋摩擦圧接機は、上記第１、２の各鉄筋摩擦圧接機において摩擦圧接片駆動部への摩擦圧接片の装着及び固定鉄筋保持部と結合鉄筋保持部とへの鉄筋の着脱を随意に構成することを特徴としており、上記第１、２の各鉄筋摩擦圧接機が発揮する効果に加えて鉄筋摩擦圧接機の取扱を極めて効率化できる効果を発揮している。
【００１１】
本発明による第４の鉄筋摩擦圧接機は、上記第１〜３の各鉄筋摩擦圧接機において摩擦圧接片駆動部の付属する原動機もしくは結合鉄筋保持部の作動装置を油圧系機器で構成することを特徴としており、上記第１〜３の各鉄筋摩擦圧接機が発揮する効果に加えて鉄筋摩擦圧接機の作動を強力にして確実にする効果を発揮している。
【発明の効果】
【００１２】
本発明による鉄筋摩擦圧接方法と鉄筋摩擦圧接機は、土建業界の工事現場において多く採用されている各種鉄筋の圧接や中実金属棒材の接合及び種々の機械やプラント工事における金属棒材、パイプ等の接合に用いても鉄筋や中実金属棒材の圧接や金属棒材、パイプ等の接合を効率良く短時間で確実に施工できる効果を奏している。
【発明を実施するための最良の形態】
【００１３】
本発明による鉄筋摩擦圧接方法は、固定鉄筋の開放端に摩擦圧接片を介在させながら結合鉄筋を当接し、しかる後に結合鉄筋を固定鉄筋側に加圧すると共に摩擦圧接片のみを回転させて固定鉄筋と摩擦圧接片及び結合鉄筋を相互に溶融連結するように構成されているので、建築現場のコンクリート柱に適用した実施例を示す図１と本実施例における鉄筋と摩擦圧接片とが相互に溶融連結している状態を示す図２に基づいて説明する。
【実施例１】
【００１４】
コンクリート柱における複数の鉄筋群１は、個々の鉄筋毎に上方に向かって継ぎ足して行く必要があるためにコンクリートを打設されて定着している固定鉄筋２の上に新しい鉄筋３を結合しなければ成らない。そこで、固定鉄筋２には本発明による鉄筋摩擦圧接機４が配備されている。摩擦圧接片駆動部５に図２に図示されている摩擦圧接片９が予め装着されている鉄筋摩擦圧接機４の下方側には固定鉄筋保持部６が装備されているので、摩擦圧接片駆動部５に装着されている摩擦圧接片９の下側中心部に当接させた状態で固定鉄筋保持部６に固定鉄筋２を保持させることによって固定鉄筋２への鉄筋摩擦圧接機４の配備は容易に完了させることが出来る。
固定鉄筋２に配備された鉄筋摩擦圧接機４は、摩擦圧接片駆動部５の上方側に結合鉄筋保持部７を移動可能に形成しているので、固定鉄筋２に連結させる結合鉄筋８をこの結合鉄筋保持部７に保持させている。この際の結合鉄筋８は、摩擦圧接片駆動部５に装着されている摩擦圧接片９の上側中心部に当接させる状態に調整するものであり、これによって、固定鉄筋２と結合鉄筋８とは直線状に溶融結合出来るように配置されている。
【００１５】
以上の構成によって、固定鉄筋２と結合鉄筋８とは、図２（ａ）に示しているように摩擦圧接片９を間に圧接状態で介在させながら夫々は固定状態に保持されるものであるが、結合鉄筋保持部７が摩擦圧接片駆動部５との間に配置された油圧機等から成る作動装置１０によって摩擦圧接片駆動部５の方向に向けて移動可能に構成されているので、結合鉄筋８は摩擦圧接片９と固定鉄筋２とに強力な圧接力を加えられている。
【００１６】
又、摩擦圧接片駆動部５では装着されている摩擦圧接片９が摩擦圧接片駆動部５の下方側に装備されている小型電動機等から成る原動機１１によって回転出来るように保持されているので、摩擦圧接片９は固定状態で保持されている固定鉄筋２と結合鉄筋８との間では高速回転が可能である。又、摩擦圧接片９の上下両面は必要に応じてその中央部を中心にした円錐形状１２に形成されているので、固定鉄筋２や結合鉄筋８との接合面１３は何れも円形状の線接触状態に置かれており、このような線接触状態下での高速回転によると各鉄筋の接触端及び摩擦圧接片９の接触面では接触圧による高温状態を効率良く形成されることから両者は迅速にして満遍ない溶融状態に容易に陥ることになる。
【００１７】
従って、固定鉄筋２と摩擦圧接片９との接合部では何れの側からも溶融状態を連続的に形成されるものであり、同様に結合鉄筋８と摩擦圧接片９との接合部においても同じような溶融状態が形成されることになる。しかも結合鉄筋保持部７は、摩擦圧接片駆動部５との間に配置された作動装置１０によって摩擦圧接片駆動部５の方向に向けて移動可能に構成されていることから、結合鉄筋８、摩擦圧接片９及び固定鉄筋２との間では常に強力な圧接力が加えられているために上述した溶融状態は継続的に続けられることになるので、結合鉄筋８と摩擦圧接片９との間及び摩擦圧接片９と固定鉄筋２との間では図２(ｂ)に示すような両者の混合状態から成る結合体１４、１５が確実に形成されるものである。これによって、固定鉄筋２と結合鉄筋８とは配備された直線状の配置関係を堅持しながら容易にして確実に結合されるものである。
【００１８】
本発明による鉄筋摩擦圧接方法は、上記の詳細な説明のように簡便な鉄筋摩擦圧接機４を用いて固定鉄筋２と結合鉄筋８とを直線状の配置関係に保持しながらその間に配備させた摩擦圧接片９のみを高速回転させることで相互間を互いに溶融結合させているものであるから、建築業界と土木業界の工事現場における鉄筋や中実金属棒材及びパイプ等の二部材において、一方が固定されている場合、長くて重い場合や大きい場合等であっても、その圧接作業や接合作業において従来から指摘されながらも解決できなかった多くの困難な問題点を容易に解決することで、施工環境、作業条件及び品質保証面を確実に満足させている。
【００１９】
本発明による鉄筋摩擦圧接機は、基本的に装着される摩擦圧接片を保持して回転させる摩擦圧接片駆動部、固定鉄筋を保持された摩擦圧接片の中心位置に向けて設定する固定鉄筋保持部及び結合鉄筋を摩擦圧接片の設定された固定鉄筋側と対応する直線位置に向けて設定する移動可能に形成された結合鉄筋保持部から構成されているので、理解し易いように部分断面の側面図（ａ）、水平断面図（ｂ）、上方からのＢ矢視図（ｃ）及び下方からのＡ矢視図（ｄ）から構成した図3に基づいて説明する。
【実施例２】
【００２０】
図３（ａ）は、本発明による鉄筋摩擦圧接機４であってその一部を断面図で示す側面図である。
図示のように鉄筋摩擦圧接機４は、中央部に摩擦圧接片駆動部５を配置して成り、その下方側に固定鉄筋保持部６を装備すると共に上方側には結合鉄筋保持部７が摩擦圧接片駆動部５の方向に向かって降下出来る状態で配備されている。
【００２１】
摩擦圧接片駆動部５は、図３（ａ）に示すように想像線で表示している摩擦圧接片９をその内部に保持して回転可能に構成しているものであって、その基本構成は、図３（ａ）の部分断面及び図３（ｂ）の水平断面において示すように、中央に摩擦圧接片９を保持しながら回転力を付与する機能を発揮している駆動輪１６とこの駆動輪１６に対峙させて少なくとも3点支持以上の状態で摩擦圧接片９を回転可能に保持している複数の支持輪１７とから構成されている。駆動輪１６の回転力は、摩擦圧接片駆動部５の下方側に取付けられている電動機もしくは油圧で回転する駆動源から構成されている原動機１１の回転軸18から付与されるが、原動機１１からの回転力伝達は図示のような直接接合であっても良いし、要求される回転力の大きさや摩擦圧接片駆動部５に対する原動機１１の取付状態ないしは摩擦圧接片駆動部５内における駆動輪１６や支持輪１７の配置状態に対応させて原動機１１の回転軸18と駆動輪１６との間もしくは駆動輪１６と摩擦圧接片９との間に各種の他の伝達機構を介在させることも可能であることは必要に応じて適宜に選択容易である。
【００２２】
又、摩擦圧接片駆動部５に対する摩擦圧接片９の装着は、図３（ｂ）の水平断面において示すように、主に駆動輪１６が機構的に配置されている摩擦圧接片駆動部５の本体部１９の任意の片側に摩擦圧接片９を受け入れて駆動輪１６の側面に接合させることの可能な開口部２０を設けると共に、この開口部２０を塞ぎながらその内面２１に配置された複数の支持輪１７で受け入れた摩擦圧接片９を駆動輪１６と一体になって回転可能な状態に保持している閉鎖蓋２２を形成することによって容易に実施できるものである。
【００２３】
そして、本体部１９と閉鎖蓋２２とにおいて摩擦圧接片９が装着される際にその中心位置に相当する位置であって下方側からの固定鉄筋と上方側からの結合鉄筋とが摩擦圧接片駆動部５に挿入される区域には、各鉄筋の軸径に該当して何れもが容易に配置できる大きさの孔２３が形成されている。摩擦圧接片駆動部５におけるこの孔２３の正確な形成によって、摩擦圧接片駆動部５に装着されている摩擦圧接片９の中心位置には固定鉄筋と結合鉄筋とが夫々の中心線を一直線状に位置関係を形成できるものである。
更に、本実施例では、摩擦圧接片駆動部５の本体部１９に閉鎖蓋２２を適当なボルト等の螺着によって摩擦圧接片９を取付けるようにしているが、その手法は形状においてもその支持方法においても任意であってその他の手法を採用するのは随意である。
【００２４】
以上のように、本発明による鉄筋摩擦圧接機４において摩擦圧接片駆動部５に対する摩擦圧接片９の装着は、摩擦圧接片駆動部５の本体部１９から閉鎖蓋２２を取り外すことによって開口部２０を通して露出する駆動輪１６の側面に対して摩擦圧接片９をその中心部に置くことに始まり、次いで取り外してあった閉鎖蓋２２を摩擦圧接片駆動部５の本体部１９に添えることで行う支持輪１７による摩擦圧接片９の駆動輪１６の側面への圧着とボルト等の螺着による閉鎖蓋２２の本体部１９への取り付けとで正確かつ簡易に実施できるものである。
【００２５】
鉄筋摩擦圧接機４には、その下方側に固定鉄筋保持部６を装備している。固定鉄筋保持部６は、鉄筋摩擦圧接機４を下側からＡ矢視した図３（ｄ）に示されているように鉄筋摩擦圧接機４を固定鉄筋に取付ける際に固定鉄筋を摩擦圧接片駆動部５に装着している摩擦圧接片９の中心位置に正確に配置するために設けられるものであり、固定鉄筋を下方側もしくは横側の側方から簡単に装着出来る形状に形成されたホルダー２４とホルダー２４に装着された固定鉄筋を所定の位置に正確に取付けられるように位置の調整が成された後に素早く固定することの出来る締付ボルト２５とから構成されている。
本実施例では、固定鉄筋保持部６の取付を摩擦圧接片駆動部５における本体部１９の下方側に原動機１１の取付状態を加味しながら固定しているが、この取付は任意であって本体部１９のみもしくは原動機１１のみへの取り付けであっても本体部１９と原動機１１との両方への取付であっても何らの制約も受けるものでない。
【００２６】
固定鉄筋保持部６が以上のように構成されているので、鉄筋摩擦圧接機４は固定鉄筋保持部６における固定鉄筋の所定位置への正確な取付行為を行うことによって固定鉄筋に正常な状態での取り付けと取り外しを可能にしている。
【００２７】
又、鉄筋摩擦圧接機４には、図３（ａ）に示されているようにその上方側に結合鉄筋保持部７を装備している。
結合鉄筋保持部７の構成は、図３（ａ）におけるＢ矢視である図３（ｃ）が示すように上述した固定鉄筋保持部６と基本的には同様であって、結合鉄筋を上方側もしくは横側の側方から簡単に装着出来る形状に形成されたホルダー２６とホルダー２６に装着された結合鉄筋を所定の位置に正確に取付けられるように位置の調整が成された後に素早く固定出来る締付ボルト２７とから構成されている。しかしながら、結合鉄筋保持部７は、コンクリートで固定されていた鉄筋に鉄筋摩擦圧接機４を取り付けることになっていた固定鉄筋保持部６と異なって、遊動状態にある結合鉄筋を保持しながら摩擦圧接片駆動部５の孔２３に通してそこに装着されている摩擦圧接片９の中心位置に正確に設定する必要がある。
そこで、ホルダー２６は後述する油圧シリンダー２８に対して左右に調整可能な修正機構２９を装備しながら取付けられている。修正機構２９は、図３（ｃ）が示すように油圧シリンダー２８を抱え込むリング状の固定部３０とホルダー２６の支持部３１を両側から挟みこんでいる保持体３２及び修正ネジ３３から構成されており、ホルダー２６の支持部３１を両側から修正ネジ３３の操作で調整することで結合鉄筋保持部７の位置を摩擦圧接片駆動部５の孔２３に結合鉄筋が正確に対応すると同時に摩擦圧接片駆動部５の内部に装備されている摩擦圧接片９の中心位置に結合鉄筋を正確に配置出来るようにしている。従って、修正機構２９の操作によって結合鉄筋保持部７の正確な位置が定まるとホルダー２６に螺着している締付ボルト２７を締め付けることで結合鉄筋は鉄筋摩擦圧接機４に対して最終的に固定されることになる。
前述したように、結合鉄筋保持部７は油圧シリンダー２８に取付けられて摩擦圧接片駆動部５の方向に向かって移動可能に構成されている。シリンダー２８は伸縮可能な市販のもので充分であり、作動指令に従ってシリンダーヘッド３４が取付けられている結合鉄筋保持部７と共に摩擦圧接片駆動部５の方向に移動することから、結合鉄筋保持部７に保持されている結合鉄筋は摩擦圧接片駆動部５内に装着されている摩擦圧接片９の中心位置に押し付けられるので、鉄筋摩擦圧接機４としては固定鉄筋と結合鉄筋との間に摩擦圧接片９を挟んだ状態で固定鉄筋を固定鉄筋保持部６で保持して固定状態を維持しており、結合鉄筋も同様に結合鉄筋保持部７によって保持されて固定状態を維持している。但し、摩擦圧接片９のみは駆動輪１６と複数の支持輪１７とによって回転可能な状態で装着されている。
本実施例での油圧シリンダーは、伸縮可能な圧縮装置の一例として採用したものであって同様の機能を備えている機種であれば他の装置を採用することは任意の範囲である。
【００２８】
以上の詳細な説明で明らかなように、本発明による鉄筋摩擦圧接機は、基本的に原動機で回転する駆動輪とこの駆動輪に対峙させて配備される複数の支持輪とで装着される摩擦圧接片を保持して回転させる摩擦圧接片駆動部を中心にして、この摩擦圧接片駆動部の一方側に固着されて固定鉄筋を摩擦圧接片駆動部に保持された摩擦圧接片の中心位置に向けて設定する固定鉄筋保持部と摩擦圧接片駆動部の他方側に装備されて結合鉄筋を摩擦圧接片駆動部に保持された摩擦圧接片の設定された固定鉄筋側と対応する直線位置に向けて設定するために摩擦圧接片駆動部との間に配置された作動装置で移動可能に形成された結合鉄筋保持部から構成されており、必要に応じて装着される摩擦圧接片がその中心部を円錐形状に構成したり、摩擦圧接片駆動部への摩擦圧接片の装着及び固定鉄筋保持部と結合鉄筋保持部とへの鉄筋の着脱を随意に構成しながら、更には摩擦圧接片駆動部の付属する原動機や結合鉄筋保持部の作動装置を油圧系機器で構成している。
これらの構成によって、上記した鉄筋摩擦圧接方法に用いる際には各種鉄筋の圧接や中実金属棒材の接合及び種々の機械やプラント工事における金属棒材、パイプ等の接合に採用しても鉄筋や中実金属棒材の圧接や金属棒材、パイプ等の接合を効率良く短時間で確実に施工できる効果を発揮するものである。
【産業上の利用可能性】
【００２９】
本発明は、建築業界と土木業界において多く施工されている各種鉄筋の圧接や中実金属棒材の接合及び種々の機械やプラント工事における金属棒材、パイプ等の接合に用いられて、鉄筋や中実金属棒材の圧接や金属棒材、パイプ等の接合を効率良く短時間で確実に施工できて施工環境、作業条件及び品質保証面を満足させる鉄筋摩擦圧接方法とそれに用いる鉄筋用摩擦圧接機を提供している。
【図面の簡単な説明】
【００３０】
【図１】本発明による鉄筋摩擦圧接方法のコンクリート柱への適用図
【図２】本発明による鉄筋摩擦圧接方法における鉄筋の溶融結合図
【図３】本発明による鉄筋用摩擦圧接機の説明図
【符号の説明】
【００３１】
１…鉄筋群、２…固定鉄筋、３…新しい鉄筋、４…鉄筋摩擦圧接機、５…摩擦圧接片駆動部、６…固定鉄筋保持部、７…結合鉄筋保持部、８…結合鉄筋、９…摩擦圧接片、１０…作動装置、１１…原動機、１２…円錐形状、１３…接合面、  １４、１５…結合体、１６…駆動輪、１７…支持輪、１８…回転軸、１９…本体部、２０…開口部、２１…内面、２２…閉鎖蓋、２３…孔、２４、２６…ホルダー、２５、２７…締付ボルト、２８…油圧シリンダー、２９…修正機構、３０…  固定部、３１…支持部、３２…保持体、３３…修正ネジ、３４…シリンダーヘッド
【図１】
2009039766.tif 000003
【図２】
2009039766.tif 000004
【図３】
2009039766.tif 000005